(57)【要約】【課題】  提供するのに相応しくない要約情報が移動体通信端末に提供されるのを抑制し、かつ、移動通信端末通信網が混線を招くおそれのあるようなデータサイズの大きい要約情報を移動通信端末へ送信するのを防止することができる移動通信システムを提供する。【解決手段】  ＷＥＢサーバ４１は、移動体通信端末１０からの取得要求に対する取得応答（ＨＴＴＰレスポンス）に、コンテンツ提供者を識別するための識別情報（ＣＰＩＤ）を付加する。中継サーバ４０は、その中継サーバを通過させる要約情報（ＲＳＳフィード）を提供するコンテンツ提供者の識別情報を予め記憶し、ＷＥＢサーバ４１から受信した取得応答における識別情報と予め記憶されている識別情報とに基づいて取得応答の通過を制御する。【選択図】図９
2007300485.tif 000002
【特許請求の範囲】
【請求項１】
移動体通信端末にコンテンツの要約情報を通信ネットワークを介して提供するコンテンツ提供サーバと、前記コンテンツ提供サーバから前記移動体通信端末へ送られる前記要約情報を、前記通信ネットワーク上で中継する中継サーバとを備えた移動体通信システムであって、
前記コンテンツ提供サーバは、前記移動体通信端末からの取得要求に対する取得応答に、コンテンツ提供者を識別するための識別情報を付加する識別情報付加手段を有し、
前記中継サーバは、その中継サーバを通過させる要約情報を提供するコンテンツ提供者の識別情報を予め記憶する記憶手段と、前記コンテンツ提供サーバから受信した取得応答における識別情報と前記記憶手段に記憶されている識別情報とに基づいて前記取得応答の通過を制御する通過制御手段とを有していることを特徴とする移動体通信システム。
【請求項２】
請求項１に記載の移動体通信システムであって、
前記コンテンツ提供サーバの前記識別情報付加手段は、前記移動体通信端末の設定内容を指示する指示情報を前記取得応答に付加し、
前記中継サーバの前記記憶手段は、前記識別情報と前記指示情報とを互いに関連付けて記憶し、
前記中継サーバの前記通過制御手段は、前記取得応答に付加された前記識別情報および前記指示情報が、前記記憶手段に互いに関連づけて記憶されている前記識別情報および前記指示情報と一致しているか否かに基づいて、前記要約情報を含む取得応答の通過を制御することを特徴とする移動体通信システム。
【請求項３】
請求項２の移動体通信システムであって、
前記指示情報は、前記移動体通信端末における前記要約情報の自動取得のタイミングを指示する情報であることを特徴とする移動体通信システム。
【請求項４】
請求項１から請求項３のいずれかに記載の移動体通信システムであって、
前記要約情報は、ＷＥＢコンテンツの見出し情報、要約情報および更新情報であることを特徴とする移動体通信システム。
【発明の詳細な説明】
【技術分野】
【０００１】
本発明は、移動体通信端末にコンテンツの要約情報を通信ネットワークを介して提供するための移動体通信システムに関するものである。
【背景技術】
【０００２】
従来から、ＷＥＢコンテンツの要約情報を取得して表示する移動体通信端末たる携帯電話機が知られている（例えば、非特許文献１）。このＷＥＢコンテンツの要約情報のデータは、携帯電話機からの取得要求に応じて、例えばＲＳＳと呼ばれるフォーマットで送信される。このＲＳＳは、ＷＥＢサーバ（ＷＥＢサイト）で提供されるＷＥＢコンテンツの見出し、要約、更新情報等のメタデータを構造化して記述するＸＭＬ（Extensible Markup Language）ベースのフォーマットである。ＲＳＳはいくつかのバージョン（RSS0.9X, RSS1.0, RSS2.0, Atom）が存在し、バージョンごとに「Rich Site Summary」、「Really Simple Syndication」、「RDF Site Summary」という正式名称で呼ばれている。このＲＳＳフォーマットで記述された文書は「ＲＳＳフィード」と呼ばれ、上記ＲＳＳフィードを受信して表示するソフトウェアは「ＲＳＳリーダ」と呼ばれている。ＷＥＢコンテンツが更新されると、携帯電話機からの取得要求に応じて、更新後のＷＥＢコンテンツの要約情報を反映したＲＳＳフィードが携帯電話機に送信される。
【０００３】
【非特許文献１】「携帯ポータルアプリ」、［ｏｎｌｉｎｅ］、QUEST-COM株式会社、［２００６年３月３日検索］、インターネット（ＵＲＬ：http://rsseye.qusco.cc/）
【発明の開示】
【発明が解決しようとする課題】
【０００４】
ＷＥＢサーバから提供される要約情報によっては、著作権保護を無視したコンテンツの要約情報や、公序良俗に反するコンテンツの要約情報など、提供するのに相応しくない要約情報が携帯電話機に提供されるおそれがあった。
また、要約情報によっては、画像や動画などが添付されてデータサイズが非常に大きいものがあり、このようなデータサイズの大きい要約情報を定期に取得する利用者が多数いた場合、携帯電話通信網が混線してしまい、携帯電話がつながらない不具合が発生するおそれがある。
【０００５】
本発明は、上記問題に鑑みなされたものであり、その目的とするところは、提供するのに相応しくない要約情報が移動体通信端末に提供されるのを抑制し、かつ、移動体通信端末通信網が混線を招くおそれのあるようなデータサイズの大きい要約情報を移動体通信端末へ送信するのを防止することができる移動通信システムを提供することである。
【課題を解決するための手段】
【０００６】
上記目的を達成するために、請求項１の発明は、移動体通信端末にコンテンツの要約情報を通信ネットワークを介して提供するコンテンツ提供サーバと、前記コンテンツ提供サーバから前記移動体通信端末へ送られる前記要約情報を、前記通信ネットワーク上で中継する中継サーバとを備えた移動体通信システムであって、前記コンテンツ提供サーバは、前記移動体通信端末からの取得要求に対する取得応答に、コンテンツ提供者を識別するための識別情報を付加する識別情報付加手段を有し、前記中継サーバは、その中継サーバを通過させる要約情報を提供するコンテンツ提供者の識別情報を予め記憶する記憶手段と、前記コンテンツ提供サーバから受信した取得応答における識別情報と前記記憶手段に記憶されている識別情報とに基づいて、前記取得応答の通過を制御する通過制御手段とを有していることを特徴とするものである。
また、請求項２の発明は、請求項１に記載の移動体通信システムであって、前記コンテンツ提供サーバの前記識別情報付加手段は、前記移動体通信端末の設定内容を指示する指示情報を前記取得応答に付加し、前記中継サーバの前記記憶手段は、前記識別情報と前記指示情報とを互いに関連付けて記憶し、前記中継サーバの前記通過制御手段は、前記取得応答に付加された前記識別情報および前記指示情報が、前記記憶手段に互いに関連づけて記憶されている前記識別情報および前記指示情報と一致しているか否かに基づいて、前記要約情報を含む取得応答の通過制御を行うことを特徴とするものである。
また、請求項３の発明は、請求項２の移動体通信システムであって、前記指示情報は、前記移動体通信端末における前記要約情報の自動取得のタイミングを指示する情報であることを特徴とするものである。
また、請求項４の発明は、請求項１から請求項３のいずれかに記載の移動体通信システムであって、前記要約情報は、ＷＥＢコンテンツの見出し情報、要約情報および更新情報であることを特徴とするものである。
【発明の効果】
【０００７】
請求項１乃至４の発明によれば、中継サーバを通過させる要約情報を提供するコンテンツ提供者の識別情報を記憶手段に予め記憶させている。そして、コンテンツ提供サーバから要約情報を含む取得応答を受信したとき、その取得応答に付加された識別情報と、上記記憶手段に記憶している識別情報とに基づいて、上記コンテンツ提供サーバから受信した要約情報を含む取得応答の通過が制御される。これにより、中継サーバを通過させる要約情報を提供する正規のコンテンツ提供者の要約情報を含む取得応答のみを通過させることができる。よって、例えば、著作権保護を無視したコンテンツや、公序良俗に反するコンテンツ、データサイズの大きい要約情報を提供する不正なコンテンツ提供者からの要約情報などが移動体通信端末へ送信されるのを防止することができる。
【発明を実施するための最良の形態】
【０００８】
以下、図面を参照して本発明の実施の形態について説明する。
図１は本実施形態に係る通信システム全体の概略構成の一例を示す説明図である。この通信システムは、移動体通信端末としての携帯電話機１０と、移動体通信事業者によって管理されている通信ネットワークとしての携帯電話通信網２０とを用いて構成されている。携帯電話通信網２０は、基地局２０１や図示しない交換機（回線交換機、パケット交換機）等を備え、中継サーバとしてのゲートウェイサーバ４０を介してインターネット３０等の他の通信ネットワークに接続されている。また、携帯電話通信網２０及びインターネット３０には、ＷＥＢコンテンツを提供するコンテンツ提供サーバとしてのＷＥＢサーバ４１が接続されている。ＷＥＢサーバ４１は、各種ＷＥＢコンテンツのほか、そのＷＥＢコンテンツの要約情報も提供する。また、ＷＥＢサーバ４１は携帯電話通信網２０側に設けてもよい。これらのサーバから携帯電話機１０にコンテンツをダウンロードするときには、ネットワークの各階層において所定の通信プロトコルが用いられる。例えば、ＷＥＢサーバ４１からＷＥＢページをダウンロードするときのアプリケーション層の通信プロトコルとしては、ＨＴＴＰ（Hyper Text Transfer Protocol）が用いられる。
【０００９】
図２は、上記ＷＥＢサーバ４１のハードウェア構成の一例を示すブロック図である。このＷＥＢサーバ４１は、システムバス４００、ＣＰＵ４０１、内部記憶装置、外部記憶装置４０４、入力装置４０５、出力装置４０６、及びインターネット用通信装置４０７を備えている。上記内部記憶装置は、ＲＡＭ４０２やＲＯＭ４０３等で構成されている。上記外部記憶装置４０４は、ハードディスクドライブ（ＨＤＤ）や光ディスクドライブ等で構成されている。上記入力装置４０５は、マウスやキーボード等で構成されている。上記出力装置４０６は、ディスプレイやプリンタ等で構成されている。上記通信装置４０７は、所定の通信プロトコルにより、携帯電話通信網２０を介して他の携帯電話機や他のサーバと通信したり、インターネット３０上の各種クライアント端末や他のサーバと通信したりするための装置である。
【００１０】
上記ＣＰＵ４０１やＲＡＭ４０２等の構成要素はお互いに、システムバス４００を介して、データやプログラムの命令等のやり取りを行っている。このＷＥＢサーバ４１を所定の手順に従って動作させるためのプログラムはＲＯＭ４０３や外部記憶装置４０４に記憶されており、必要に応じてＣＰＵ４０１やＲＡＭ４０２上の作業エリアに呼び出されて実行される。
【００１１】
また、上記ＷＥＢサーバ４１はそれぞれ一部又は全体を専用の制御装置として構成してもいいし、一部又は全体を汎用のコンピュータシステムを用いて構成してもよい。また、ＷＥＢサーバ４１はそれぞれ、１台のコンピュータで構成してもいいし、複数の機能をそれぞれ受け持つ複数台のコンピュータをネットワークで結んで構成してもよい。
【００１２】
図３は、ＷＥＢサーバ４１の構成例を示す機能ブロック図である。ＷＥＢサーバ４１は、記憶手段４１５と受信手段４１６と送信手段４１７と識別情報付加手段４１８とを備えている。このＷＥＢサーバ４１は、ＣＰＵ等からなるハードウェア上で所定のプログラムを実行することにより、上記各手段の機能を実現している。上記記憶手段４１５は、上記内部記憶装置や外部記憶装置４０４で構成され、携帯電話機１０で受信可能な各種ＷＥＢコンテンツのデータや、そのＷＥＢコンテンツの要約情報のデータを記憶している。
【００１３】
上記受信手段４１６は、上記ＣＰＵ４０１や通信装置４０７等で構成され、上記記憶手段４１５に記憶されている複数種類のＷＥＢコンテンツやそのＷＥＢコンテンツの要約情報を要求する取得要求を携帯電話機１０から受信する。
【００１４】
上記送信手段４１７は、上記ＣＰＵ４０１や通信装置４０７等で構成され、上記取得要求に基づいて選択されたＷＥＢコンテンツのデータや、そのＷＥＢコンテンツの要約情報のデータを移動体通信端末１０に送信する。
【００１５】
上記識別情報付加手段４１８は、ＣＰＵ４０１や外部記憶装置４０４などで構成され、そのＷＥＢコンテンツの要約情報のデータを送信する際に、そのＨＴＴＰヘッダ中にコンテンツを提供するコンテンツ提供者を識別する識別情報（ＣＰＩＤ）や携帯電話機の設定内容を指示する指示情報を記述する。識別情報たるＣＰＩＤは、例えば、ゲートウェイサーバ４０を管理運営する携帯電話事業者から、各ＷＥＢサーバ４１のコンテンツを管理運営する事業者に対して発行される一意の識別番号である。また、指示情報としては、例えば、携帯電話機１０の自動取得のタイミングを指示する指示情報などが挙げられる。
本実施形態においては、上記ＣＰＩＤは、標準にはない拡張ヘッダに記述し、上記指示情報は、図４に示すように、Content-Typeヘッダに記述されたMIME(Multipurpose Internet Mail Extension)-TYPEに付加しているが、これに限定されるものではない。
【００１６】
上記ＷＥＢコンテンツの要約情報のデータは、ＲＳＳのフォーマットで携帯電話機へ送信されており、携帯電話機は、このＲＳＳのフォーマットで記述された文書（ＲＳＳフィード）受信して表示するソフトウェアであるＲＳＳリーダを備えている。ＷＥＢコンテンツが更新された場合は、その更新後のＷＥＢコンテンツの要約情報を反映したＲＳＳフィードが作成される。この更新後のＲＳＳフィードが、携帯電話機からの取得要求に応じて送信される。上記要約情報としては、例えば、一般ニュース、音楽情報、ブログ、天気予報、ＣＤや映画などの売り上げランキング等のコンテンツの要約情報や更新情報が挙げられる。
【００１７】
図５は携帯電話機１０の一構成例を示す外観図であり、図６は、その携帯電話機１０のハードウェア構成の一例を示す概略構成図である。携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５及び携帯電話通信網用通信装置１０６を備えている。ＣＰＵ１０１やＲＡＭ１０２等の構成要素は、システムバス１００を介して、互いに各種データやプログラムの命令等のやり取りを行っている。
【００１８】
上記ＣＰＵ１０１は、上記記憶装置から所定のプログラムを読み込んで実行することにより、ネイティブ側の電話機プラットフォームの基本ソフト（ＯＳ）上で、音声通話機能や、アプリケーションソフト（以下「アプリケーション」という。）による各種機能を実現することができる。このアプリケーションによる機能としては、ＲＳＳリーダ、ＷＥＢブラウザ、メーラー、外部装置とのデータ送受信、アドレス帳管理、スケジューラ、メモ帳等がある。
【００１９】
また、上記ＣＰＵ１０１は、上記記憶装置から所定のプログラムを読み込んで実行することにより、ネイティブ側の電話機プラットフォーム上でアプリケーションを実行するためのアプリケーション実行環境を構築することができる。そして、このアプリケーション実行環境上で、携帯電話機１０にプリインストールされているアプリケーションや、利用者がダウンロードして登録したアプリケーション等の各種アプリケーションを実行することができる。
【００２０】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、携帯電話機１０に対してコンテンツ取得先のＵＲＬ等のデータを入力したり、電話着信の際に通話の開始及び終了を行ったり、アプリケーションの選択、起動及び停止を行ったりすることができる。また、利用者は上記操作部を操作することにより、上記ＷＥＢサーバ４１から、アプリケーションプログラム等のコンテンツをダウンロードして登録することができる。
【００２１】
上記出力装置１０５は、表示手段である液晶ディスプレイ（ＬＣＤ）１７、音出力手段であるスピーカ１８等から構成されている。上記液晶ディスプレイ（ＬＣＤ）１７やスピーカ１８等からなる出力装置等で構成されている出力部は、携帯電話通信網２０を介して受信したＷＥＢページを液晶ディスプレイ（ＬＣＤ）１７に表示したり、携帯電話通信網２０から情報を着信した旨を利用者に知らせたりするときに用いられる。具体的には、その情報を着信すると、出力部の液晶ディスプレイ（ＬＣＤ）１７に着信報知画像を表示したり、スピーカ１８から着信音を出力させたりする。なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２２】
上記携帯電話通信網用通信装置１０６は、変復調器、シンセサイザ、周波数変換器，高周波増幅器などにより構成され、携帯電話通信網２０を介して他の携帯電話機や上記サーバ４１等と通信するときに用いられる。この携帯電話通信網用通信装置１０６は、携帯電話通信網２０を介して他の携帯電話機とメールのやり取りを行ったり、携帯電話通信網２０からゲートウェイサーバ４０を介して、インターネット等の外部の通信ネットワークに接続し、インターネット上での電子メールのやり取り等を行ったりするための通信手段として用いられる。更に、この携帯電話通信網用通信装置１０６は、携帯電話通信網２０を介して、サーバ４１が提供する各種コンテンツをダウンロードしたり、現在位置の位置情報を含む配信情報を受信したりする情報受信手段としても用いられる。
【００２３】
携帯電話機１０は、ＲＳＳリーダのほかに、例えば、メディアコンテンツの再生を行うアプリケーションもＷＥＢコンテンツの要約情報であるＲＳＳフィードを表示する機能を備えている。また、サービス参加者が互いに友人を紹介しあって、新たな友人関係を広げることを目的に開設されたコミュニティサービス（ソーシャル・ネットワーク・サービス（ＳＮＳ））を利用するためのアプリケーションなどもＷＥＢコンテンツの要約情報であるＲＳＳフィードを表示する機能を備えている。メディアコンテンツの再生を行うアプリケーションは、音楽情報、ＣＤの売り上げランキング、着うたランキングなどのＲＳＳフィードが表示されるようになっている。また、上記コミュニティサービスを利用するためのアプリケーションは、友人のブログの更新情報などのＲＳＳフィードが表示されるようになっている。
【００２４】
図７は、本実施形態に係る携帯電話機１０の主要な機能を抽出して示した機能ブロック図である。この携帯電話機１０は、通信手段１１０と表示手段１１１と記憶手段１１２と表示制御手段１１３とを有する。
【００２５】
上記通信手段１１０は上記通信装置１０６等で構成され、ＨＴＴＰ等の所定の通信プロトコルを用いて携帯電話通信網２０を介した通信を行う。この通信手段１１０は、接続情報としてのＵＲＩ（Uniform Resource Identifier）に基づいて通信ネットワーク上のＷＥＢサーバ４１にゲートウェイサーバ４０を介してアクセスし、そのＷＥＢサーバ４１から前述のＲＳＳフィードを取得する取得手段として用いられる。また、この取得手段は、所定の時間毎にＵＲＩに基づいて通信ネットワーク上のＷＥＢサーバ４１にアクセスし、そのサーバからＲＳＳフィードを自動的に取得できるようになっている。自動取得のタイミングは、装置内部のＤＲＭ用内部時計に従い処理を行う。また、自動取得のタイミングは、図４に示すように、取得応答（ＨＴＴＰレスポンス）のContent-TypeヘッダのMIME-TYPEに付加された指示情報に基づき設定する。図４中のＡの部分に付加される、指示情報が、例えば、「ＡＡＡ」の場合は、自動取得のタイミングが１時間に設定され、このＡの部分に「ＢＢＢ」の指示情報が付加された場合は、自動取得のタイミングが３時間に設定される。
【００２６】
上記表示手段１１１は上記ディスプレイ等で構成され、ＲＳＳフィードの表示を行うアプリケーションを起動したときに、通信ネットワーク上のＷＥＢサーバ４１から受信した前述のＲＳＳフィードを表示することができる。
【００２７】
上記記憶手段１１２は上記ＲＡＭ１０２やＲＯＭ１０３等の記憶装置により構成され前述のＲＳＳフィードを記憶している。ＲＳＳフィードのデータは、フォルダ形式で記憶手段１１２に保存されている。フォルダは、カテゴリ別に複数設けられており、例えば、ＲＳＳフィードが、「ニュース」に関するものの場合は、ニュースカテゴリのフォルダに保存され、「ブログ・日記」に関するものの場合は、ブログのカテゴリのフォルダに保存される。
【００２８】
上記表示制御手段１１３は上記ＣＰＵ１０１等で構成され、前述のＲＳＳフィードを取得して表示するように制御する。また、ＲＳＳフィードが未読の場合に、待ちうけ画面などのピクト領域に、未読のＲＳＳフィードがある旨のピクト画像を表示するように制御する。
【００２９】
図８は、上記ゲートウェイサーバ４０のハードウェア構成を示す概略構成図である。
このゲートウェイサーバ４０のハードウェア構成は、上記ＷＥＢサーバ４１と同様、システムバス３００、ＣＰＵ３０１、内部記憶装置、外部記憶装置３０４、入力装置３０５及び出力装置３０６から構成されている。更に、このゲートウェイサーバ４０は、インターネット通信網３０を介してデータの送受信を行う第１通信装置３０７と、携帯電話通信網２０を介してデータの送受信を行う第２通信装置３０８も備えている。
上記ＣＰＵ３０１やＲＡＭ３０２等の構成要素は、システムバス３００を介して、互いにデータやプログラムの命令等のやり取りを行い、その基本的な動作は上記ＷＥＢサーバ４１とほぼ同様である。本実施形態におけるゲートウェイサーバ４０は、携帯電話通信網２０とインターネット通信網３０とを接続するゲートウェイとしての機能を有しており、一方から他方へデータを通過させる際にＣＰＵ３０１等によりプロトコル変換を行う。
【００３０】
また、ゲートウェイサーバ４０は、インターネット通信網３０に接続されたＷＥＢサーバ４１が提供するＷＥＢコンテンツを、携帯電話機１０に適したものに変換するＷＥＢＴｒａｎｓ機能を有している。この点について説明すると、インターネット通信網３０に接続されたＷＥＢサーバ等が提供するＷＥＢサイトの閲覧画面は、携帯電話機１０だけでなく、パーソナルコンピュータ等でも閲覧することができる。インターネット通信網３０上のＷＥＢサイトの閲覧画面は、パーソナルコンピュータ等に適した画面構成（画面寸法、静止画や動画の埋め込み等）になっているのが通常である。そのため、このような閲覧画面を携帯電話機１０のＬＣＤ１７に表示させようとすると、利用者にとって閲覧しにくかったり、閲覧できなかったりすることがある。そこで、ゲートウェイサーバ４０では、所定のデータ変換プログラムを実行するＣＰＵ３０１がデータ変換手段として機能する。そして、ＣＰＵ３０１は、インターネット通信網３０を介して第１通信装置３０７により受信した閲覧画面データを、そのデータ変換プログラムに従って変換し、携帯電話機１０に適したものとする。その後、変換後のデータを第２通信装置３０８から携帯電話通信網２０を介して携帯電話機１０へ送信する。
【００３１】
なお、上記は、ゲートウェイサーバ４０は専用の制御装置として構成してもいいし、汎用のコンピュータシステムを用いて構成してもよい。また、１台のコンピュータで構成してもいいし、複数の機能をそれぞれ受け持つ複数台のコンピュータをネットワークで結んで構成してもよい。
【００３２】
図９は、本実施形態に係るゲートウェイサーバ４０の主要な機能を抽出して示した機能ブロック図である。このゲートウェイサーバ４０は、第１通信手段３１０と第２通信手段３１１と通過制御手段３１２と記憶手段３１３とを有する。
【００３３】
上記第１通信手段３１０は第１通信装置３０７等で構成され、ＨＴＴＰ等の所定の通信プロトコルを用いてインターネット通信網３０を介した通信を行う。この第１通信手段３１０は、携帯電話通信網２０を介して受信した接続情報としてのＵＲＩに基づいて通信ネットワーク上のＷＥＢサーバ４１に取得要求を送信し、そのＷＥＢサーバ４１からＷＥＢコンテンツやＷＥＢコンテンツの要約情報を取得する機能を有している。
【００３４】
上記第２通信手段３１１は第２通信装置３０８等で構成され、ＨＴＴＰ等の所定の通信プロトコルを用いて携帯電話通信網２０を介した通信を行う。この第２通信手段３１１は、後述する通過制御手段３１２を通過したＷＥＢコンテンツやＷＥＢコンテンツの要約情報を、携帯電話通信網２０を介して携帯電話機へ送信し、また、携帯電話通信網２０を介して携帯電話機から取得要求を受信する機能を有している。
【００３５】
上記通過制御手段３１２は、上記ＣＰＵ３０１等で構成され、インターネット通信網３０を介して第１通信手段３１０により取得したＷＥＢコンテンツを、携帯電話機１０に適した閲覧画面に変換する変換手段としての機能を有している。また、通過制御手段３１２は、ＷＥＢサーバ４１から取得した取得応答のＨＴＴＰヘッダに付加された識別情報を、後述する記憶手段に記憶されている識別情報から検索して、その検索結果に基づいて、要約情報を通過させるか否かの判断を行う判断手段としての機能も有している。また、通過制御手段３１２は、判断手段により、通過を許可された要約情報を含んだ取得応答を第２通信手段３１１へ通過させるように取得応答の通過を制御する機能も有している。
【００３６】
上記記憶手段３１３は、上記外部記憶装置等で構成され、中継サーバの通過を許可された要約情報を提供するコンテンツ提供者のＣＰＩＤと、携帯電話機における設定内容を指示する指示情報とを互いに関連づけて記憶している。
【００３７】
本実施形態においては、上記ゲートウェイサーバ４０は、記憶手段３１３に記憶されていないＣＰＩＤが、取得応答のＨＴＴＰヘッダに記述されてない要約情報を含んだ取得応答を携帯電話機へ送信しないようにしている。よって、携帯電話事業者が許可したコンテンツ提供者から提供される正規の要約情報しか携帯電話機へ送信しないようにすることができる。これにより、例えば、著作権保護を無視したコンテンツや、公序良俗に反するコンテンツからの不正な要約情報などが携帯電話機へ送信されるのを防止することができる。
以下に具体的に説明する。
【００３８】
図１０は、ゲートウェイサーバ４０の要約情報通過制御処理における制御フローである。
まず、第１通信装置３０７がＷＥＢサーバ４１からインターネット通信網３０を介してデータを受信したら（Ｓ１のＹＥＳ）、受信したデータのContent-TypeヘッダのMIME-TYPEチェックして受信したデータがＲＳＳフィードであるか否かをチェックする（Ｓ２）。ＲＳＳフィードでない場合は（Ｓ２のＮＯ）、第２通信装置３０８から携帯電話通信網２０を介して携帯電話機１０へ受信したデータを送信する（Ｓ５）。
【００３９】
一方、受信データがＲＳＳフィードの場合（Ｓ２のＹＥＳ）、拡張ヘッダに記述されたコンテンツ提供者を識別する識別情報（ＣＰＩＤ）が記憶手段に記憶されているか否かを記憶手段に記憶されている識別情報（ＣＰＩＤ）から検索する（Ｓ３）。ＨＴＴＰレスポンス（取得応答）の拡張ヘッダにＣＰＩＤが無かったり、不正なＣＰＩＤを付加したりして、検索の結果、記憶手段に記憶されている識別情報に一致するＣＰＩＤがない場合は（Ｓ３のＮＯ）、受信したＲＳＳフィードは、正規のコンテンツ提供者からのものではないと判断する。そして、受信したＲＳＳフィードを破棄し（Ｓ６）、「接続先の要約情報は閲覧できません。」などのエラーメッセージを第２通信装置から携帯電話機１０へ送信する（Ｓ７）。
【００４０】
一方、検索の結果、拡張ヘッダに記述されたＣＰＩＤが記憶手段１１３に記憶されている場合は（Ｓ３のＹＥＳ）、記憶手段３１３にＣＰＩＤと互いに関連づけて記憶されている指示情報が、Content-TypeヘッダのMIME-TYPEに付加された指示情報と一致しているか否かをチェックする（Ｓ４）。指示情報が一致していない場合は、携帯電話事業者がコンテンツ提供者に対して認証していない指示情報をコンテンツ提供者が不正に付加しているので、上述同様、受信したＲＳＳフィードを破棄して（Ｓ６）、エラーメッセージを第２通信装置から携帯電話機へ送信する（Ｓ７）。
【００４１】
一方、指示情報が一致している場合（Ｓ４のＹＥＳ）、受信したＲＳＳフィードを含んだ取得応答を第２通信装置から携帯電話機へ送信する（Ｓ５）。
ＲＳＳフィードを含んだ取得応答を受信した携帯電話機は、Content-TypeヘッダのMIME-TYPEに付加された指示情報に基づいて、自動取得のタイミングを設定するとともに、記憶手段に記憶されているＲＳＳフィードを受信した受信したＲＳＳフィードに上書きする。
【００４２】
以上、本実施形態においては、記憶手段３１３に記憶された正規なＲＳＳフィード（要約情報）を提供するコンテンツ提供者からのＲＳＳフィードのみ携帯電話機へ送信することができる。よって、著作権保護を無視したコンテンツや、公序良俗に反するコンテンツなどの要約情報を提供するのに相応しくない不正な要約情報を提供するコンテンツ提供者のＣＰＩＤは、記憶手段３１３に記憶されないので、このような不正な要約情報が携帯電話機へ送信されることがない。これにより、著作権の保護や、プライバシーの侵害や、権利侵害など、さまざまなトラブルが発生するおそれのある要約情報が携帯電話機に送信されるのを抑制することができる。
また、データサイズの非常に大きい不正な要約情報を提供するコンテンツ提供者のＣＰＩＤは記憶手段３１３に記憶されないので、このような要約情報が携帯電話機へ送信されることがない。これにより、携帯電話機通信網が混線を招くおそれのあるような要約情報を携帯電話機へ送信するのを防止することができる。
【００４３】
また、ゲートウェイサーバの記憶手段３１３にＣＰＩＤと関連づけて記憶されている携帯電話機の設定内容を指示する指示情報が、Content-TypeヘッダヘのMIME-TYPEに付加された指示情報と一致したＲＳＳフィード（要約情報）を携帯電話機１０へ送信している。これにより、コンテンツ提供者が、第３者から不正により付加価値の高い要約情報のサービス提供を行うことのできる携帯電話機１０の設定指示情報を入手して、その指示情報をContent-TypeヘッダのMIME-TYPEに付加しても、記憶手段３１３にＣＰＩＤと関連付けて記憶された指示情報と一致することがない。よって、このように不正に入手した指示情報を付加した要約情報が携帯電話機へ送信されることが防止され、指示情報の不正利用が抑制される。
【００４４】
また、上記指示情報は、上記自動取得のタイミングを指示する情報としている。利用者にとっては、コンテンツが更新されたら直ぐにその更新情報が得られるように、要約情報の取得処理の間隔が短い方が好ましい。しかし、利用者が登録したすべてのＲＳＳフィードの自動取得を１時間に設定し、このような設定をする利用者が多数いた場合、頻繁に携帯電話通信網が使用される。その結果、携帯電話通信網２０が混線してしまい、携帯電話がつながらない不具合が発生するおそれがある。このため、例えば、携帯電話事業者に対して所定の料金を支払ったコンテンツ提供者のみ、利用者にとってサービスの付加価値の高い、１時間毎に要約情報の更新確認を指示する指示情報を要約情報に付加することを許可する。一方、料金を支払ってないコンテンツ提供者に対しては、例えば、３時間毎の更新確認するように指示する指示情報の付加を許可して、自動取得のタイミングを異ならせる。これにより、特定のコンテンツ提供者が提供するＲＳＳフィードのみしか自動取得のタイミングを１時間に設定することができなくなるので、ＲＳＳフィード取得のために頻繁に携帯電話網が使用されるのを抑制することができる。その結果、携帯電話通信網２０が混線してしまい、携帯電話がつながらない不具合を抑制することができる。
【００４５】
また、本発明は、移動体通信端末が携帯電話機である場合に限定することなく、様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【図面の簡単な説明】
【００４６】
【図１】本発明の実施形態に係る通信システムの概略構成図。
【図２】ＷＥＢサーバのハードウェア構成のブロック図。
【図３】ＷＥＢサーバの機能ブロック図。
【図４】ＲＳＳフィードのContent-Typeヘッダに記述されるMIME-TYPEのデータの一例を示す図。
【図５】携帯電話機の外観図。
【図６】携帯電話機のハードウェア構成のブロック図。
【図７】携帯電話機の機能ブロック図。
【図８】ゲートウェイサーバのハードウェア構成のブロック図。
【図９】ゲートウェイサーバの機能ブロック図。
【図１０】ゲートウェイサーバの要約情報通過制御処理における制御フロー図。
【符号の説明】
【００４７】
１０    携帯電話機
２０    携帯電話通信網
３０    インターネット
４０    ゲートウェイサーバ
４１    ＷＥＢサーバ
１１０    通信手段
１１１    表示手段
１１２    記憶手段
１１３    表示制御手段
３１０    第１通信手段
３１１    第２通信手段
３１２    通過制御手段
３１３    記憶手段
４１１    記憶手段
４１２    受信手段
４１３    送信手段
【図１】
2007300485.tif 000003
【図２】
2007300485.tif 000004
【図３】
2007300485.tif 000005
【図４】
2007300485.tif 000006
【図５】
2007300485.tif 000007
【図６】
2007300485.tif 000008
【図７】
2007300485.tif 000009
【図８】
2007300485.tif 000010
【図９】
2007300485.tif 000011
【図１０】
2007300485.tif 000012